(57)【要約】【課題】簡易な構成で火力表示を行うことができるガスコンロを提供する。【解決手段】燃料供給装置２０は、操作つまみ１４を回動操作することで、バーナの火力を調整する。燃料供給装置２０はパネル装置９Ｂのパネル本体部５０の後面に取り付け、貫通穴５３を介して操作つまみ１４を化粧パネル８０の前面に露出する。貫通穴５３の上側外周部には複数の筒状の導光部５４が周方向に並んで設けられる。導光部５４の筒穴５５内にはＬＥＤ６１が配置される。鍔付筒部７０は貫通穴５３内に配置され、導光部５４の前側に配置するフランジ部でＬＥＤ６１の光を遮る。鍔付筒部７０は操作つまみ１４と共に回転する。フランジ部は切り欠き状の光通過部を有する。鍔付筒部７０は回転位置によってＬＥＤ６１の光が光通過部を通過可能な導光部５４を変更する。パネル装置９Ｂは光通過部を通過したＬＥＤ６１の光を化粧パネル８０の前面にて点灯し火力表示を行う。【選択図】図３
2019027659.tif 000002
【特許請求の範囲】
【請求項１】
上部にコンロバーナが配置される筐体と、
前記筐体内の前部に配置され、前記コンロバーナにガスを供給し、且つ前記コンロバーナへのガスの供給と遮断の操作を行う操作部を備える燃料供給装置と、
前記燃料供給装置の前方にて前記筐体に固定され、前記操作部の操作状態を示すパネル装置と、
を備えたガスコンロであって、
前記燃料供給装置の前記操作部は、少なくともガスの供給時には前記パネル装置の前面に対して突出した状態にあり、回動操作によって前記コンロバーナに供給するガスの供給量を調整可能な操作つまみを含み、
前記パネル装置は、
前記燃料供給装置の前方にて前記筐体に固定され、前後方向に貫通し、前記操作つまみが配置される貫通穴を有するパネル本体と、
前記パネル本体の裏面で、前記貫通穴の径方向外側にて周方向に沿う所定範囲の領域に設けられて発光し、前記パネル本体の表面側へ向けて光を出射する発光部と、
筒状を呈し、前記貫通穴内に回転可能に配置される本体部と、前記本体部の外周面において周方向の少なくとも一部にて径方向外向きに鍔状に突出し、前記発光部の前側に配置されて前記発光部からの光を遮るフランジ部と、前記フランジ部の周方向の一部にて穴状又は切欠状に形成され、前記発光部からの光が通過可能な光通過部と、前記操作部に係合し、前記操作つまみの回動操作に応じて前記本体部を回動する係合部と、を有する鍔付筒部と、
前記パネル本体の前部に装着され、前記貫通穴と前後方向に重なる位置にて開口し、前記操作つまみが配置される開口部と、前記開口部の周りで前記発光部と前後方向に重なる位置にて設けられ、前記発光部が出射し、前記光通過部を通過した光を透過する透光部と、を有する化粧パネルと、
を備えたことを特徴とするガスコンロ。
【請求項２】
前記フランジ部は、前記本体部の外周面にて前記光通過部を除く全周が鍔状に形成されたことを特徴とする請求項１に記載のガスコンロ。
【請求項３】
前記パネル本体は、前後方向に光を通過する穴部を有し、前記貫通穴の周りにて周方向に並んで配置される複数の導光部を備え、
前記発光部は、前記複数の導光部を介し、前記パネル本体の表面側へ向けて光を照射すること
を特徴とする請求項１又は２に記載のガスコンロ。
【請求項４】
前記導光部は、前後方向に延びる筒状に形成されたことを特徴とする請求項３に記載のガスコンロ。
【請求項５】
前記発光部は、前記複数の導光部夫々の配置位置に対応する複数の光源を備えたことを特徴とする請求項３又は４に記載のガスコンロ。
【請求項６】
前記複数の導光部は前記貫通穴の周方向に等間隔で配列されており、
前記フランジ部の周方向における前記光通過部の幅は、前記複数の導光部の配列間隔の１倍以上２倍未満であることを特徴とする請求項３から５のいずれかに記載のガスコンロ。
【請求項７】
前記発光部は、前記貫通穴の上部にて周方向に沿って配置されており、
前記燃料供給装置は複数あり、前記筐体の前部にて左右に並べて配置した場合において、隣り合う前記燃料供給装置の夫々に対応する前記パネル本体の前記貫通穴は、夫々の前記貫通穴に配置される前記鍔付筒部の前記フランジ部同士が前後方向にて重なる位置に形成され、
前記フランジ部は、前記光通過部を基準に周方向に半分割した場合の反時計回り側に位置する第一部分と時計回り側に位置する第二部分とが、前後方向に段違いとなる位置に形成され、
隣接する前記貫通穴に夫々配置される２つの前記鍔付筒部のうち、一方の前記鍔付筒部の前記フランジ部における前記第一部分は、他方の前記鍔付筒部の前記フランジ部における前記第二部分に対し、前後方向に重なる位置に配置されること
を特徴とする請求項１から６のいずれかに記載のガスコンロ。
【請求項８】
前記化粧パネルは、円環状を呈し、内径が前記操作つまみの外径よりも大きく、前記開口部内に配置する環状部を備えたことを特徴とする請求項１から７のいずれかに記載のガスコンロ。
【発明の詳細な説明】
【技術分野】
【０００１】
本発明はガスコンロに関する。
【背景技術】
【０００２】
ガスコンロは、コンロバーナにガスを供給する燃料供給装置を備える。例えば特許文献１に記載の燃焼量調整体は、回動操作可能なプッシュ・プッシュ機構を有しており、押し込み操作により、コンロ本体の前面から突出あるいは収容される。突出時には、コントローラによってコンロバーナへの点火処理が実行される。コントローラは、燃焼量調整体の回動操作量をポジションセンサによって検出し、検出量に応じてモータを駆動してコンロバーナに供給するガス量を調整する。また、コントローラは、ポジションセンサの検出量に応じ、火力表示を行うＬＥＤの発光制御を行う。
【先行技術文献】
【特許文献】
【０００３】
【特許文献１】特開２０１５−３６５９３号公報
【発明の概要】
【発明が解決しようとする課題】
【０００４】
しかしながら、低コスト化を図るため、コントローラ、ポジションセンサ等の装置、部品を省き、コンロバーナの点火処理とガス供給量の調整をカム等の機械的な構成で行った場合、燃焼量調整体の回動操作量が分からなくなるため、ＬＥＤの点灯による火力表示を行うことが難しかった。
【０００５】
本発明の目的は、簡易な構成で火力表示を行うことができるガスコンロを提供することである。
【課題を解決するための手段】
【０００６】
本発明の請求項１に係る発明のガスコンロは、上部にコンロバーナが配置される筐体と、前記筐体内の前部に配置され、前記コンロバーナにガスを供給し、且つ前記コンロバーナへのガスの供給と遮断の操作を行う操作部を備える燃料供給装置と、前記燃料供給装置の前方にて前記筐体に固定され、前記操作部の操作状態を示すパネル装置と、を備えたガスコンロであって、前記燃料供給装置の前記操作部は、少なくともガスの供給時には前記パネル装置の前面に対して突出した状態にあり、回動操作によって前記コンロバーナに供給するガスの供給量を調整可能な操作つまみを含み、前記パネル装置は、前記燃料供給装置の前方にて前記筐体に固定され、前後方向に貫通し、前記操作つまみが配置される貫通穴を有するパネル本体と、前記パネル本体の裏面で、前記貫通穴の径方向外側にて周方向に沿う所定範囲の領域に設けられて発光し、前記パネル本体の表面側へ向けて光を出射する発光部と、筒状を呈し、前記貫通穴内に回転可能に配置される本体部と、前記本体部の外周面において周方向の少なくとも一部にて径方向外向きに鍔状に突出し、前記発光部の前側に配置されて前記発光部からの光を遮るフランジ部と、前記フランジ部の周方向の一部にて穴状又は切欠状に形成され、前記発光部からの光が通過可能な光通過部と、前記操作部に係合し、前記操作つまみの回動操作に応じて前記本体部を回動する係合部と、を有する鍔付筒部と、前記パネル本体の前部に装着され、前記貫通穴と前後方向に重なる位置にて開口し、前記操作つまみが配置される開口部と、前記開口部の周りで前記発光部と前後方向に重なる位置にて設けられ、前記発光部が出射し、前記光通過部を通過した光を透過する透光部と、を有する化粧パネルと、を備えたことを特徴とする。
【０００７】
請求項２に係る発明のガスコンロは、請求項１に記載の発明の構成に加え、前記フランジ部は、前記本体部の外周面にて前記光通過部を除く全周が鍔状に形成されたことを特徴とする。
【０００８】
請求項３に係る発明のガスコンロは、請求項１又は２に記載の発明の構成に加え、前記パネル本体は、前後方向に光を通過する穴部を有し、前記貫通穴の周りにて周方向に並んで配置される複数の導光部を備え、前記発光部は、前記複数の導光部を介し、前記パネル本体の表面側へ向けて光を照射することを特徴とする。
【０００９】
請求項４に係る発明のガスコンロは、請求項３に記載の発明の構成に加え、前記導光部は、前後方向に延びる筒状に形成されたことを特徴とする。
【００１０】
請求項５に係る発明のガスコンロは、請求項３又は４に記載の発明の構成に加え、前記発光部は、前記複数の導光部夫々の配置位置に対応する複数の光源を備えたことを特徴とする。
【００１１】
請求項６に係る発明のガスコンロは、請求項３から５のいずれかに記載の発明の構成に加え、前記複数の導光部は前記貫通穴の周方向に等間隔で配列されており、前記フランジ部の周方向における前記光通過部の幅は、前記複数の導光部の配列間隔の１倍以上２倍未満であることを特徴とする。
【００１２】
請求項７に係る発明のガスコンロは、請求項１から６のいずれかに記載の発明の構成に加え、前記発光部は、前記貫通穴の上部にて周方向に沿って配置されており、前記燃料供給装置は複数あり、前記筐体の前部にて左右に並べて配置した場合において、隣り合う前記燃料供給装置の夫々に対応する前記パネル本体の前記貫通穴は、夫々の前記貫通穴に配置される前記鍔付筒部の前記フランジ部同士が前後方向にて重なる位置に形成され、前記フランジ部は、前記光通過部を基準に周方向に半分割した場合の反時計回り側に位置する第一部分と時計回り側に位置する第二部分とが、前後方向に段違いとなる位置に形成され、隣接する前記貫通穴に夫々配置される２つの前記鍔付筒部のうち、一方の前記鍔付筒部の前記フランジ部における前記第一部分は、他方の前記鍔付筒部の前記フランジ部における前記第二部分に対し、前後方向に重なる位置に配置されることを特徴とする。
【００１３】
請求項８に係る発明のガスコンロは、請求項１から７のいずれかに記載の発明の構成に加え、前記化粧パネルは、円環状を呈し、内径が前記操作つまみの外径よりも大きく、前記開口部内に配置する環状部を備えたことを特徴とする。
【発明の効果】
【００１４】
請求項１に係る発明のガスコンロによれば、鍔付筒部は、フランジ部によって、発光部から出射される光を遮る。フランジ部の光通過部は、フランジ部の一部に形成されたことによって、発光部からの光の一部を通過させる。鍔付筒部が操作つまみの回動動作に応じて回転するので、発光部からの光は、操作つまみの回動位置に応じて光通過部が配置される位置にてパネル装置の前方へ照射される。即ちガスコンロは、操作つまみの回動位置に対応する火力表示を、光通過部を通過した光によって示すことができる。これにより、例えば、エンコーダ等で操作つまみの回動位置を検出し、検出した位置をＬＥＤ等で示すために必要であった各種部品等を用いずとも火力表示を行うことができ、生産コストを低減することができる。また、光通過部は、操作つまみの回動位置に応じた所定の部分のみ、発光部からの光を通過させる。即ち透光部は、現在の火力に応じた部分のみがピンポイントで光る。故に、簡易な構成で火力表示の認識性に優れたガスコンロを提供できる。
【００１５】
請求項２に係る発明のガスコンロによれば、請求項１に記載の発明の効果に加え、フランジ部は、光通過部を除く全周が鍔状に形成される。故にフランジ部は、発光部の配置等に多少の寸法誤差が生じたとしても、発光部からの光を確実に遮ることができるので、光通過部の位置を除き、発光部からの光が化粧パネルの前側に漏れることを防止できる。
【００１６】
請求項３に係る発明のガスコンロによれば、請求項１又は２に記載の発明の効果に加え、発光部からの光は、複数の導光部によって前方に照射される部分が制限される。更に、複数の導光部を通過した光のうち、操作つまみの回動位置に応じて光通過部が配置される所定の部分に位置する導光部を通過した光のみが透光部に届き、現在の火力に応じた部分のみをピンポイントで光らせる。透光部にて火力表示を行う光は、導光部の穴部の形状になるので、火力表示の認識性を、より高めることができる。
【００１７】
請求項４に係る発明のガスコンロによれば、請求項３に記載の発明の効果に加え、発光部からの光のうち、筒状の導光部の穴部（筒穴）を通過することができる光は、前方へ向かう光のみに制限される。故に透光部にて火力表示を行う光は、広がりが抑制されて輪郭がはっきりするので、火力表示の認識性を、更に高めることができる。
【００１８】
請求項５に係る発明のガスコンロによれば、請求項３又は４に記載の発明の効果に加え、光通過部を通過して透光部に届く光は、複数の導光部の夫々に対応して設けた独立した光源からの光であるので、単独の光源からの拡散光よりも光の強度が強い。故に透光部にて火力表示を行う光は、比較的明るいので、火力表示の認識性を、更に高めることができる。
【００１９】
請求項６に係る発明のガスコンロによれば、請求項３から５のいずれかに記載の発明の効果に加え、操作つまみがどの位置に回動しても、光通過部は、１つ又は２つの導光部を露出させる。故にガスコンロは、光通過部が２つの導光部の間に位置し、フランジ部が全ての導光部を塞ぎ、発光部からの光が全て遮られ、火力表示がなされない状態になることを防止することができる。
【００２０】
請求項７係る発明のガスコンロによれば、請求項１から６のいずれかに記載の発明の効果に加え、燃料供給装置を左右に並べて配置する場合、隣り合う貫通穴に配置される鍔付筒部のフランジ部同士が干渉しないように、貫通穴を左右に離して形成するため、パネル装置は、横幅を大きく確保する必要がある。上記のように、フランジ部同士が前後方向にて重なる位置に配置しても干渉しないように構成することで、パネル装置は、貫通穴を左右に近づけて形成することができ、横幅を小さくすることができる。また、筐体内において、燃料供給装置を左右に近づけて配置することができるため、筐体内にて燃料供給装置が占めるスペースを小さくでき、筐体内における配置レイアウトの自由化を高めることができる。
【００２１】
請求項８に係る発明のガスコンロによれば、請求項１から７のいずれかに記載の発明の効果に加え、発光部からの光が透光部を透過する際に、乱反射によって、開口部内に向かう場合がある。環状部は、透光部から漏れる光が開口部内を照らすのを防ぎ、火力表示の認識性を高めることができる。
【００２２】
なお、本発明は、請求項１から８の夫々の発明特定事項を任意に組み合わせてもよい。
【図面の簡単な説明】
【００２３】
【図１】ガスコンロ１の斜視図である。
【図２】燃料供給装置２０の斜視図である。
【図３】パネル装置９Ｂの分解斜視図である。
【図４】パネル本体部５０の上側部分５２の斜視図である。
【図５】鍔付筒部７０の斜視図である。
【図６】化粧パネル８０の分解斜視図である。
【図７】化粧パネル８０を外したパネル装置９Ｂの正面図である。
【発明を実施するための形態】
【００２４】
以下、本発明の実施形態を説明する。以下に記載される装置の構造などは、特定的な記載がない限り、それのみに限定する趣旨ではなく、単なる説明例である。図面は、本発明が採用しうる技術的特徴を説明するために用いられるものである。以下説明は、図中に矢印で示す左右、前後、上下を使用する。
【００２５】
図１を参照し、ガスコンロ１について説明する。ガスコンロ１は、ビルトインコンロである。ガスコンロ１は筐体２と天板３を備える。筐体２は上部が開口し、開口部分に天板３が設置される。天板３において、右手前には右バーナ４、左手前には左バーナ５、中央奥側には奥バーナ６が設けられる。天板３の後方部には、筐体２内に設置されたグリル装置（図示略）の排気口７が設けられる。
【００２６】
ガスコンロ１の前面の略中央には、グリル扉８が設けられる。グリル扉８は、グリル装置に設けられるグリル庫（図示略）の前側開口部分を開閉する。グリル扉８の右側の領域には、正面視円形状の２つの操作つまみ１１、１２が横方向に並んで設けられる。グリル扉８の左側の領域には、操作つまみ１１、１２と同じ高さ位置に、同一形状の２つの操作つまみ１３、１４が横方向に並んで設けられる。操作つまみ１１〜１４の夫々は、右バーナ４、グリル庫内のグリルバーナ（図示略）、奥バーナ６、左バーナ５の点火、消火及び火力調節を行う為に操作される。操作つまみ１１〜１４は、夫々、燃料供給装置２０（図２参照）の前端部に取り付けられる。
【００２７】
図２を参照し、燃料供給装置２０について説明する。ガスコンロ１は、右バーナ４、左バーナ５、奥バーナ６、及びグリル装置にガスを供給する４つの燃料供給装置を備える。そのうち、右バーナ４、左バーナ５、奥バーナ６にガスを供給する燃料供給装置２０は公知のプッシュ・プッシュ機構２４を備えた同一構成の装置である。また、グリル装置にガスを供給する燃料供給装置（図示略）は、燃料供給装置２０と同様のプッシュ・プッシュ機構を備えるが、ガス流量の調節を電磁弁によって行うため、流量調節部（図示略）を別体に設ける。以下では、左バーナ５にガスを供給する燃料供給装置２０を一例として説明し、右バーナ４、奥バーナ６、グリル装置にガスを供給する燃料供給装置については説明を省略する。なお、右バーナ４にガスを供給する燃料供給装置と、奥バーナ６にガスを供給する燃料供給装置は、燃料供給装置２０と同一構成であるので、便宜上、同一の符号を付して燃料供給装置２０と呼ぶ。
【００２８】
図２に示すように、燃料供給装置２０は、操作つまみ１４の押し込み操作と回動操作により、左バーナ５の点火と消火、及び左バーナ５に供給するガス量の調節を行う装置である。押し込み操作は、操作つまみ１４の前面を後方へ押圧し、ガスコンロ１の前面よりも奥側に押し込む操作である。回動操作は、操作つまみ１４の側面を把持し、前後方向の軸（軸心ＡＸ）を中心に回転する操作である。燃料供給装置２０は、操作部２１、ガス流路部２２、火力調節カム２６、流量調節部３１等を備える。
【００２９】
操作部２１は操作つまみ１４、プッシュ・プッシュ機構２４、連結部材２５を備える。連結部材２５は後述する。操作つまみ１４は略円柱状に形成される。操作つまみ１４は、ガスコンロ１の後方へ向けて押し込み移動させることにより、待機位置、押込位置、操作位置の各位置に移動する。待機位置は、操作つまみ１４の先端面が、ガスコンロ１の前面とほぼ面一となる位置である。待機位置において、操作つまみ１４の先端面は、ガスコンロ１の前面よりも僅かに後側に位置してもよいし、僅かに前側に位置してもよい。なお、図２に示す燃料供給装置２０は、操作つまみ１４が待機位置に位置する。押込位置は、操作つまみ１４の先端面が、ガスコンロ１の前面よりも後方に押し込まれた位置である。操作つまみ１４は、押込位置にて待機位置よりも後方に位置する。操作位置は、操作つまみ１４の先端面が、ガスコンロ１の前面に対して突出する位置である。操作つまみ１４は、操作位置にて待機位置よりも前方に位置する。操作位置にあるとき、操作つまみ１４は、前後方向に沿う軸心ＡＸを中心に回転可能（回動操作可能）である。
【００３０】
プッシュ・プッシュ機構２４は、操作つまみ１４を待機位置、押込位置、操作位置の各位置にて位置決めし、各位置に応じて後述するメイン弁（図示略）を開放状態又は閉鎖状態に維持する。プッシュ・プッシュ機構２４の内部には、操作つまみ１４の押し込み操作に合わせて前後方向に移動するスライダ（図示略）と、スライダを前方へ向けて付勢するバネと、メイン弁を駆動する弁駆動部（図示略）が設けられる。スライダには公知のカム機構（図示略）が設けられる。スライダは、操作つまみ１４が押し込み操作される度に、操作つまみ１４を待機位置から押込位置を経て操作位置に移動する動作と、操作位置から押込位置を経て待機位置移動する動作とを繰り返す。弁駆動部は、操作つまみ１４が待機位置から操作位置に移動する動作に連動してメイン弁を開放し、且つ開放状態に維持する動作を行い、操作つまみ１４が操作位置から待機位置に移動する動作に連動してメイン弁を閉鎖し、且つ閉鎖状態に維持する動作を行う。
【００３１】
ガス流路部２２は、プッシュ・プッシュ機構２４の後側に連結される。ガス流路部２２の内部には第一ガス通路（図示略）が形成される。第一ガス通路は、下部に開口する導入口２３に接続するガス供給管（図示略）から供給されるガスを、流量調節部３１に流通する。第一ガス通路には安全弁（図示略）とメイン弁（図示略）が設けられる。安全弁は、第一ガス通路を閉じる閉状態に弾性付勢された電磁操作式の弁である。メイン弁は、操作つまみ１４の押し込み操作に応じて第一ガス通路の開閉を行う弁である。なお、メイン弁と安全弁は何れも周知のものであるので、動作の詳細な説明は省略する。
【００３２】
流量調節部３１はプッシュ・プッシュ機構２４とガス流路部２２の上部に設けられる。流量調節部３１の内部には第二ガス通路（図示略）が形成される。第二ガス通路は、ガス流路部２２から供給されるガスを流通し、上部に開口する流出口３２に接続されるガス供給管（図示略）を介して左バーナ５に供給する。流量調節部３１の前端部には第二ガス通路に連通する穴部３０が形成され、ニードル弁２８が挿入される。ニードル弁２８は、前端部側が穴部３０から外部に露出され、後端部側が第二ガス通路内にて前後方向に移動可能に配置される。ニードル弁２８の前端部には、上下方向に延びるピン２９が設けられる。ピン２９の下端部は、火力調節カム２６のカム溝２７（後述）に係合する。
【００３３】
火力調節カム２６は略半円筒状に形成され、プッシュ・プッシュ機構２４の前端側上部を覆うようにして、軸心ＡＸの回りを回転可能に設けられる。火力調節カム２６は、前後方向への移動が規制される。火力調節カム２６の外周部には、カム溝２７が設けられる。カム溝２７は、軸心ＡＸを中心とする螺旋状に形成される。カム溝２７にはニードル弁２８に設けられたピン２９の下端部が係合する。火力調節カム２６が回転すると、カム溝２７がピン２９を案内し、ニードル弁２８を前後方向に移動する。
【００３４】
火力調節カム２６は、前方に延びる延伸部（図示略）を備え、延伸部の前端部分に内向きに突出する歯部３５（図３参照）を有する。歯部３５は操作つまみ１４が操作位置にあるときに連結部材２５の歯部３８（後述）に噛合し、連結部材２５を介して火力調節カム２６を操作つまみ１４と共に軸心ＡＸを中心に回転する。火力調節カム２６の延伸部の外周面には、ＬＥＤ操作部材３６が固定される。ＬＥＤ操作部材３６は、前方に延びる係合片３７を有する。ＬＥＤ操作部材３６は鍔付筒部７０（後述）に係合し、鍔付筒部７０を火力調節カム２６と共に軸心ＡＸを中心に回転する。
【００３５】
操作部２１の連結部材２５は、プッシュ・プッシュ機構２４のスライダから前方に延び、軸心ＡＸを軸とする軸体（図示略）に係合する。連結部材２５は、前端部にて操作つまみ１４を一体に固定し、操作つまみ１４と共に軸心ＡＸを中心に回転可能に設けられる。連結部材２５は、後端部外周面に、火力調節カム２６の歯部３５に噛合する歯部３８を有する。操作つまみ１４が操作位置にあるとき、連結部材２５の歯部３８は火力調節カム２６の歯部３５と噛合し、操作つまみ１４と火力調節カム２６を連結する。操作つまみ１４が操作位置にない場合には、火力調節カム２６の歯部３５は連結部材２５の歯部３８の前方に位置して噛合せず、操作つまみ１４と火力調節カム２６の連結状態を解除する。
【００３６】
次に、操作つまみ１４の回動操作による点火及び消火と火力の調節について説明する。左バーナ５の消火時、操作つまみ１４は、待機位置にある。ユーザが操作つまみ１４を押し込み、操作つまみ１４が押込位置に移動する過程で、安全弁とメイン弁が開放され、イグナイタ（図示略）によって左バーナ５が点火される。ユーザが操作つまみ１４から手を離すと、操作つまみ１４はバネの付勢により操作位置に移動する。安全弁とメイン弁は開放状態に維持される。連結部材２５によって、操作つまみ１４と火力調節カム２６が連結される。
【００３７】
操作つまみ１４が操作位置にある状態で操作つまみ１４が回動操作されると、火力調節カム２６は操作つまみ１４と共に軸心ＡＸの回りを回転する。火力調節カム２６が回転すると、ニードル弁２８のピン２９がカム溝２７に案内されて、前後方向に移動する。これにより、ニードル弁２８が前後方向に移動するので、ニードル弁２８の位置に応じて、第二ガス通路を流通するガスの流量が調節され、左バーナ５の火力が変更される。
【００３８】
ユーザが操作つまみ１４を押し込み、操作つまみ１４が押込位置に移動する過程で、安全弁とメイン弁が閉鎖される。左バーナ５は消火する。ユーザが操作つまみ１４から手を離すと、操作つまみ１４はバネの付勢により待機位置に移動する。安全弁とメイン弁は閉鎖状態に維持される。
【００３９】
このように、燃料供給装置２０は、操作つまみ１４の回動操作に伴い、火力調節カム２６がニードル弁２８を移動することによって、流量調節部３１の第二ガス通路を流通するガスの流量を無段階に調節する。即ち、操作つまみ１４の回転量に応じて、左バーナ５の火力がリニアに変化する。右バーナ４、奥バーナ６に夫々対応する操作つまみ１１、１３についても同様である。ガスコンロ１は、操作つまみ１１、１３、１４の夫々の回転量に応じた火力表示を行うため、前面に設けるパネル装置９Ａ、９Ｂに火力表示機能を備える。
【００４０】
図１に示すように、ガスコンロ１は、グリル扉８の右側の領域に、右バーナ４とグリル装置の火力表示を行うパネル装置９Ａを備え、グリル扉８の左側の領域に、左バーナ５と奥バーナ６の火力表示を行うパネル装置９Ｂを備える。
【００４１】
なお、グリル装置の燃料供給装置は、操作つまみ１２の回転位置に応じてオン・オフが切り替わる複数のスイッチ（図示略）を備える。グリル装置の流量調節部は、複数のスイッチのオン・オフの状態に応じて複数の電磁弁の開閉状態を切り替えることによって、グリルバーナの火力調節を行う。従って、グリル装置の火力表示は、複数のスイッチのオン・オフの状態に合わせ、パネル装置９Ａに設けたＬＥＤの点灯・消灯の状態を段階的に切り替えることによって行われる。
【００４２】
これに対し、パネル装置９Ａにおける右バーナ４の火力表示と、パネル装置９Ｂにおける左バーナ５と奥バーナ６の火力表示を行う上で、燃料供給装置２０は、操作つまみ１１、１３、１４の回転量を検出するエンコーダを搭載しない。よって、パネル装置９Ａ、９Ｂは、操作つまみ１１、１３、１４の回転位置に応じてＬＥＤの点灯・消灯の状態を切り替える制御は行わない。本実施形態では、パネル装置９Ａ、９Ｂは、操作つまみ１１、１３、１４の回転位置に対応する位置のＬＥＤ光を透過し、他の位置のＬＥＤ光を遮蔽することによって火力表示を行う。
【００４３】
図２〜図６を参照し、パネル装置９Ｂについて説明する。なお、パネル装置９Ａにおける右バーナ４の火力表示に係る部分の構成は、パネル装置９Ｂにおける左バーナ５、奥バーナ６の火力表示に係る部分の構成と同じである。よって、パネル装置９Ａの構成は、パネル装置９Ｂの構成に準ずるものとして、説明を省略する。
【００４４】
パネル装置９Ｂは、パネル本体部５０、表示基板６０、鍔付筒部７０、化粧パネル８０を備える。パネル本体部５０は、筐体２の前端部に組み付けられる。図３、図４に示すように、パネル本体部５０の下側部分５１は箱型に形成され、操作パネル（図示略）が収容される。パネル本体部５０の上側部分５２は、下側部分５１から上方へ向けて板状に突出する。上側部分５２には、前後方向に貫通する２つの貫通穴５３が左右方向に並んで形成される。貫通穴５３の内径は、操作つまみ１３、１４の外径より大きい。左バーナ５と奥バーナ６の燃料供給装置２０は、左右に並べた状態で、パネル本体部５０の上側部分５２に後側から固定される。２つの燃料供給装置２０の連結部材２５と操作つまみ１３、１４は、夫々、２つの貫通穴５３内に配置される。
【００４５】
２つの貫通穴５３の上側外周部分には、夫々、複数の導光部５４が周方向に並んで設けられる。導光部５４は、前後方向に延びる筒状体であり、本実施形態では７つずつ設けられる。夫々の導光部５４の筒穴５５は、互いに独立に形成される。
【００４６】
上側部分５２の後面には、表示基板６０が固定される。表示基板６０は貫通穴５３に干渉しないように下端部が二双の円弧状に形成される。表示基板６０の前面には複数のＬＥＤ６１が実装され、下端部に沿って二双の円弧状に並んで配置される。本実施形態では、２つの円弧に沿って、夫々７つのＬＥＤ６１が設けられる。各ＬＥＤ６１は、夫々の導光部５４の各筒穴５５の形成位置に対応する位置に設けられる。これにより、導光部５４の筒穴５５を通過する光の強度を、１つの光源から拡散させた場合よりも強い強度に確保することができる。表示基板６０がパネル本体部５０に固定されると、表示基板６０の前面によって導光部５４の各筒穴５５の後側開口が閉じられる。複数のＬＥＤ６１は、夫々、導光部５４の各筒穴５５内に配置される。導光部５４が前後方向に延びるので、導光部５４の筒穴５５を通過することができるＬＥＤ６１の光は、前方へ向かう光のみに制限され、光の広がりが抑制される。
【００４７】
図２、図５に示すように、鍔付筒部７０は、本体部７１とフランジ部７６を備える。本体部７１は前後方向に延びる円筒形状を呈する。本体部７１の外径はパネル本体部５０の貫通穴５３の内径より小さく、内径は操作つまみ１１、１３、１４の外径より大きい（図３参照）。本体部７１は周方向の３ヶ所に、後端から前方へ向けて切り欠き状に形成された２つのフック部７２、７３と１つの係合部７４を有する。夫々のフック部７２、７３内には、パネル本体部５０の貫通穴５３の後面に掛け留めされるフック片７５が設けられる。貫通穴５３の前面に当接するフランジ部７６と、フック片７５とによって、鍔付筒部７０は本体部７１が貫通穴５３内に配置された状態で抜け止めされ、且つ貫通穴５３内で軸心ＡＸを中心に回転可能に保持される。係合部７４は、ＬＥＤ操作部材３６の係合片３７に係合する。本体部７１において、係合部７４を周方向の両側から挟む部分は夫々後方へ延び、係合片３７を外れにくくする。
【００４８】
フランジ部７６は、本体部７１の前端部分にて径方向外向きに鍔状に形成される。フランジ部７６は、光通過部７７、後側鍔部分７８、前側鍔部分７９を有する。光通過部７７はフランジ部７６において切り欠き状に形成された部分である。詳細は後述するが、光通過部７７は、導光部５４の筒穴５５よりも幅広に形成される。フランジ部７６は、光通過部７７を除く周方向の全周に形成される。後側鍔部分７８は、光通過部７７を基準にフランジ部７６を周方向に略半分に分割した場合の時計回り側に位置する部分である。前側鍔部分７９は、光通過部７７を基準にフランジ部７６を周方向に略半分に分割した場合の反時計回り側に位置する部分である。後側鍔部分７８と前側鍔部分７９は、前後方向に段違いとなる位置に形成される。前側鍔部分７９は、後側鍔部分７８よりも前側に設けられる。
【００４９】
図２に示すように、左バーナ５用の燃料供給装置２０と、奥バーナ６用の燃料供給装置２０は、左右に並んで配置される。パネル本体部５０において、左バーナ５用の貫通穴５３と、奥バーナ６用の貫通穴５３は、左右方向において、鍔付筒部７０のフランジ部７６の径方向の長さよりも若干大きい程度に離れて形成される。よって、左バーナ５用の鍔付筒部７０と奥バーナ６用の鍔付筒部７０を夫々に対応する貫通穴５３に組み付けた場合に、夫々のフランジ部７６は重なり合う位置に配置される。ここで、上記のように、後側鍔部分７８と前側鍔部分７９は、前後方向に段違いとなる位置に形成される。故に、左バーナ５用の鍔付筒部７０の後側鍔部分７８と重なり合う位置に、奥バーナ６用の鍔付筒部７０の前側鍔部分７９が配置されるので、夫々のフランジ部７６は互いに干渉しない。この構成により、筐体２内において、左バーナ５用の燃料供給装置２０と、奥バーナ６用の燃料供給装置２０とを左右に近づけて配置することができる。
【００５０】
図３、図６に示すように、化粧パネル８０は、パネル本体部５０の上側部分５２の前側に組み付けられる板状体である。化粧パネル８０は、基体８１、パネル板８２、環状部８３、透光部材８４を備える。基体８１は、化粧パネル８０の本体部分であり、パネル板８２、環状部８３、透光部材８４が組み付けられる。基体８１は正面視略長方形状であり、上端部にスライドロック８５を備える。化粧パネル８０をパネル本体部５０の上側部分５２に組み付けたとき、スライドロック８５を右側にスライドすると、化粧パネル８０がパネル本体部５０に固定される。
【００５１】
基体８１には、前後方向に貫通する２つの開口部８６が左右方向に並んで形成される。開口部８６の内径は、操作つまみ１３、１４の外径より大きい。２つの開口部８６内には夫々、操作つまみ１３、１４が配置される。２つの開口部８６の上側外周部分には、夫々、透光部材８４が位置決めされる溝部８７が形成される。透光部材８４は、例えば透明な樹脂によって形成された部材であり、複数（本実施形態では７つ）の透光部８８と、複数の透光部８８の全てを一体に接続して支持する棒状の支持部８９を有する。透光部８８は前後方向に延びる円柱状の部分であり、基体８１の厚みと略同じ長さである。透光部８８は、化粧パネル８０をパネル本体部５０の上側部分５２に組み付けたときの導光部５４の夫々の形成位置に対応する位置に設けられる。基体８１の溝部８７は、透光部材８４の外形形状に合わせて形成され、溝部８７内に透光部材８４が収納される。溝部８７内において、透光部８８の配置位置は、基体８１を前後方向に貫通する。透光部８８は、ＬＥＤ６１から出射され、導光部５４を介して後面から入射する光を、内部を通して前面に導き、前面から前方へ出射する。
【００５２】
環状部８３は円環状を呈し、内径が、操作つまみ１３、１４の外径よりも大きい。環状部８３は、基体８１の開口部８６内に配置される。環状部８３は、ＬＥＤ６１から出射され、透光部８８を透過する光のうち、乱反射等によって透光部８８から漏れ、開口部８６内へ向かう光を遮る。
【００５３】
パネル板８２は、例えば透明な樹脂板の後面（裏面）を着色した化粧板である。パネル板８２は、基体８１の開口部８６に対応する位置に、２つの丸穴９１を開口する。透光部８８の夫々に対応する位置は着色されておらず、ＬＥＤ６１の光を透過することができる。パネル板８２は、基体８１に透光部材８４と環状部８３を組み付けた後、基体８１の前面に接着剤等で貼り付けられる。
【００５４】
図３に示すように、左バーナ５用の燃料供給装置２０と、奥バーナ６用の燃料供給装置２０は、左右に並べた状態で、取付金具３３を用い、パネル装置９Ｂのパネル本体部５０の裏面に螺子で固定される。ＬＥＤ操作部材３６の係合片３７は、鍔付筒部７０の係合部７４に係合する。よって鍔付筒部７０は、ＬＥＤ操作部材３６が固定される火力調節カム２６が軸心ＡＸの周りを回転するとき、パネル本体部５０の貫通穴５３内で軸心ＡＸを中心に回転する。
【００５５】
表示基板６０の複数のＬＥＤ６１は、安全弁の開放時に全てが点灯する。前述したように、操作つまみ１３、１４が操作位置にあるとき、火力調節カム２６は操作つまみ１３、１４と連結し、操作つまみ１３、１４の回動操作に応じて奥バーナ６、左バーナ５の火力を調節することができる。操作つまみ１３、１４が回転すると、鍔付筒部７０はＬＥＤ操作部材３６を介して火力調節カム２６と共に軸心ＡＸの周りを回転する。フランジ部７６は、光通過部７７と重なる位置を除き、導光部５４の筒穴５５を介して前方に照射されるＬＥＤ６１の光を遮る。操作つまみ１３、１４が回転され、火力が変更されると、光通過部７７が軸心ＡＸの周りを周方向に移動し、ＬＥＤ６１の光が通過可能となる導光部５４が周方向の並びに従って変更される。光通過部７７を通過したＬＥＤ６１の光は、導光部５４に対応する透光部材８４の透光部８８を介すことによって、化粧パネル８０の表面において点灯表示される。よってパネル装置９Ｂは、化粧パネル８０の表面においてＬＥＤ６１の光が点灯した位置によって、火力表示を行うことができる。
【００５６】
図７に示すように、鍔付筒部７０の光通過部７７の周方向の幅Ａは、導光部５４の筒穴５５の周方向の幅Ｂよりも大きい。なお、幅Ａ、幅Ｂの基準は、軸心ＡＸの径方向におおける筒穴５５の中央の位置とする。また、幅Ａは、隣り合う導光部５４の筒穴５５の中央の位置間の幅Ｃよりも大きい。そして、幅Ａは、１つの導光部５４の筒穴５５の周方向時計回り側の端部と、その筒穴５５から周方向時計回りに２つ離れた筒穴５５の周方向反時計回り側の端部との間の幅Ｄと、略同じ大きさである。光通過部７７の幅Ａが上記各条件を満たすので、鍔付筒部７０がどの位置に回転しても、光通過部７７は、１つ以上２つ以下の筒穴５５を露出する。言い換えると、鍔付筒部７０がどの位置に回転しても、光通過部７７は、必ず、１つの筒穴５５を露出するので、確実に火力表示を行うことができる。そして光通過部７７は、鍔付筒部７０の回転位置によっては２つの筒穴５５を露出する場合があるが、３つ以上の筒穴５５を露出することはない。これにより、鍔付筒部７０の回転位置に応じて露出される筒穴５５内に配置されるＬＥＤ６１の光が、化粧パネル８０の透光部８８を介してガスコンロ１の前方に照射される。即ちパネル装置９Ｂは、操作つまみ１３、１４の回動量に応じて火力調節カム２６により調整されるガスの流量、即ち火力に対応する部分の１つ又は２つの透光部８８を、ピンポイントで光らせることができる。パネル装置９Ａの操作つまみ１１の回動量に対応する火力表示についても同様である。
【００５７】
以上説明したように、鍔付筒部７０は、フランジ部７６によって、ＬＥＤ６１から出射される光を遮る。フランジ部７６の光通過部７７は、フランジ部７６の一部に形成されたことによって、ＬＥＤ６１からの光の一部を通過させる。鍔付筒部７０が操作つまみ１１、１３、１４の回動動作に応じて回転するので、ＬＥＤ６１からの光は、操作つまみ１１、１３、１４の回動位置に応じて光通過部７７が配置される位置にてパネル装置９Ａ、９Ｂの前方へ照射される。即ちガスコンロ１は、操作つまみ１１、１３、１４の回動位置に対応する火力表示を、光通過部７７を通過した光によって示すことができる。これにより、例えば、エンコーダ等で操作つまみ１１、１３、１４の回動位置を検出し、検出した位置をＬＥＤ等で示すために必要であった各種部品等を用いずとも火力表示を行うことができ、生産コストを低減することができる。また、光通過部７７は、操作つまみ１１、１３、１４の回動位置に応じた所定の部分のみ、ＬＥＤ６１からの光を通過させる。即ち透光部８８は、現在の火力に応じた部分のみがピンポイントで光る。故に、簡易な構成で火力表示の認識性に優れたガスコンロ１を提供できる。
【００５８】
フランジ部７６は、光通過部７７を除く全周が鍔状に形成される。故にフランジ部７６は、ＬＥＤ６１の配置等に多少の寸法誤差が生じたとしても、ＬＥＤ６１からの光を確実に遮ることができるので、光通過部７７の位置を除き、ＬＥＤ６１からの光が化粧パネル８０の前側に漏れることを防止できる。
【００５９】
ＬＥＤ６１からの光は、複数の導光部５４によって前方に照射される部分が制限される。更に、複数の導光部５４を通過した光のうち、操作つまみ１１、１３、１４の回動位置に応じて光通過部７７が配置される所定の部分に位置する導光部５４を通過した光のみが透光部８８に届き、現在の火力に応じた部分のみをピンポイントで光らせる。透光部８８にて火力表示を行う光は、導光部５４の筒穴５５の形状になるので、火力表示の認識性を、より高めることができる。
【００６０】
ＬＥＤ６１からの光のうち、筒状の導光部５４の筒穴５５を通過することができる光は、前方へ向かう光のみに制限される。故に透光部８８にて火力表示を行う光は、広がりが抑制されて輪郭がはっきりするので、火力表示の認識性を、更に高めることができる。
【００６１】
光通過部７７を通過して透光部８８に届く光は、複数の導光部５４の夫々に対応して設けた独立した光源であるＬＥＤ６１からの光であるので、単独の光源からの拡散光よりも光の強度が強い。故に透光部８８にて火力表示を行う光は、比較的明るいので、火力表示の認識性を、更に高めることができる。
【００６２】
操作つまみ１１、１３、１４がどの位置に回動しても、光通過部７７は、１つ又は２つの導光部５４を露出させる。故にガスコンロ１は、光通過部７７が２つの導光部５４の間に位置し、フランジ部７６が全ての導光部５４を塞ぎ、ＬＥＤ６１からの光が全て遮られ、火力表示がなされない状態になることを防止することができる。
【００６３】
燃料供給装置２０を左右に並べて配置する場合、隣り合う貫通穴５３に配置される鍔付筒部７０のフランジ部７６同士が干渉しないように、貫通穴５３を左右に離して形成するため、パネル装置９Ｂは、横幅を大きく確保する必要がある。上記のように、フランジ部７６同士が前後方向にて重なる位置に配置しても干渉しないように構成することで、パネル装置９Ｂは、貫通穴５３を左右に近づけて形成することができ、横幅を小さくすることができる。また、筐体２内において、燃料供給装置２０を左右に近づけて配置することができるため、筐体２内にて燃料供給装置２０が占めるスペースを小さくでき、筐体２内における配置レイアウトの自由化を高めることができる。
【００６４】
ＬＥＤ６１からの光が透光部８８を透過する際に、乱反射によって、開口部８６内に向かう場合がある。環状部は、透光部８８から漏れる光が開口部８６内を照らすのを防ぎ、火力表示の認識性を高めることができる。
【００６５】
なお、本発明は上記実施形態に限定されるものではなく、種々の変更が可能である。導光部５４は貫通穴５３の上側周囲に７つ設けたが、７つに限らない。導光部５４の数に合わせて表示基板６０のＬＥＤ６１を７つ設けたが、ＬＥＤ６１の数は必ずしも導光部５４の数と一致していなくてもよく、例えば導光部５４の数より少なくてもよい。この場合、例えば透明な樹脂等により光路を形成し、或いは光拡散板を用い、１つのＬＥＤ６１の光を複数の導光部５４に分配してもよい。また、光源はＬＥＤに限らず、有機ＥＬ等、他の光源を用いてもよい。導光部５４は周方向に等間隔に配置したが、例えば火力が大きいほど間隔が離れるように配置してもよい。また、導光部５４は筒状でなくてもよく、例えば透明な樹脂等により光路を形成したものであってもよい。
【００６６】
パネル装置９Ｂは２つの燃料供給装置２０の夫々に対応する火力表示を行うが、１つの燃料供給装置２０を単独で組み付けて火力表示を行ってもよいし、３つ以上の燃料供給装置２０を組み付けて火力表示を行ってもよい。鍔付筒部７０のフランジ部７６は光通過部７７を除く全周に鍔状に設けたが、全周になくてもよい。光通過部７７は切り欠き状に形成したが、例えばフランジ部７６に開口した穴部として形成してもよい。化粧パネル８０の透光部材８４は、導光部５４に合わせて７つの透光部８８を備えるが、透光部８８を複数設けず、例えば一つの透明板であってもよい。
【００６７】
上記説明において、右バーナ４、左バーナ５、奥バーナ６が本発明の「コンロバーナ」の一例である。表示基板６０が本発明の「発光部」の一例である。筒穴５５が本発明の「穴部」の一例である。ＬＥＤ６１が本発明の「光源」の一例である。前側鍔部分７９が本発明の「第一部分」の一例である。後側鍔部分７８が本発明の「第二部分」の一例である。
【符号の説明】
【００６８】
１                        ガスコンロ
２                        筐体
４                        右バーナ
５                        左バーナ
６                        奥バーナ
９Ａ、９Ｂ                パネル装置
１１、１３、１４          操作つまみ
２０                      燃料供給装置
２１                      操作部
５０                      パネル本体部
５３                      貫通穴
５４                      導光部
５５                      筒穴
６０                      表示基板
６１                      ＬＥＤ
７０                      鍔付筒部
７１                      本体部
７４                      係合部
７６                      フランジ部
７７                      光通過部
７８                      後側鍔部分
７９                      前側鍔部分
８０                      化粧パネル
８３                      環状部
８６                      開口部
８８                      透光部
【図１】
2019027659.tif 000003
【図２】
2019027659.tif 000004
【図３】
2019027659.tif 000005
【図４】
2019027659.tif 000006
【図５】
2019027659.tif 000007
【図６】
2019027659.tif 000008
【図７】
2019027659.tif 000009